(57)【要約】  【課題】引出し装置を備えた冷蔵庫に関し、ガタツキの少ない高品位かつ荷重を加えても操作力の小さい使い勝手の良い引出しを有する冷蔵庫を提供する。  【解決手段】レール部材３１は、固定レール３１ａと移動レール３１ｂと中間走行レール３１ｃとベアリング３１ｄとを予め組み込んだ状態で固定レール３１ａを内箱２０の両側壁面に補強部材３３を設けて固定し、レール部材３１の固定レール３１ａが取付られる内箱２０の取付面３５の内箱奥行方向の抜き勾配角度は、レール部材取付面３５に連続した上方または下方の内箱奥行方向の抜き勾配角度より小さく設定しているので、左右のレール部材間の寸法精度を高めることができ、滑らかに移動レール３１ｂが移動でき、引出しの操作性を高め高品位で信頼性が高く使い勝手の良い冷蔵庫を提供することができる。【選択図】図３
2006038376.tif 000002
【特許請求の範囲】
【請求項１】
内箱と、外箱と、前記内箱と外箱間に充填した発泡断熱材とよりなる前面開口部を有する断熱箱体を備え、内部に備えた容器を前後に移動可能とするレール部材を左右に設け、前記レール部材は固定レールと移動レールとを有し、前記固定レールと移動レールはそれぞれ回転支持部材で支持され前記固定レールと移動レールを予め組み込んだ状態でレール部材を断熱箱体に固定するものにおいて、レール部材取付面の内箱奥行方向の抜き勾配角度を、レール部材取付面に連続した上方または下方の内箱奥行方向の抜き勾配角度より小さく設定したことを特徴とする冷蔵庫。
【請求項２】
内箱の左右のレール部材取付面は略並行に設定したことを特徴とする請求項１に記載の冷蔵庫。
【請求項３】
レール部材取付面の内箱発泡断熱材側に補強部材を備え、前記補強部材は内箱奥行方向の異なる抜き勾配角度を一体に形成したことを特徴とする請求項１または２に記載の冷蔵庫。
【請求項４】
内箱のレール部材取付面に連続した下方に凸部を設け、前記凸部にレール部材の下部を位置させることを特徴とする請求項１から３のいずれか一項に記載の冷蔵庫。
【請求項５】
レール部材固定時に、凸部とレール部材の下部との間に空間を形成したことを特徴とする請求項４に記載の冷蔵庫。
【発明の詳細な説明】
【技術分野】
【０００１】
本発明は、引出し装置を備えた冷蔵庫に関し、特に引出しレール取付けの構成に関するものである。
【背景技術】
【０００２】
近年、冷蔵庫は大型化に伴い、収納量が増加の傾向にあり、収納量の増加、使い勝手の向上を図るため、引出し装置を備えたものが主流となってきている（例えば、特許文献１参照）。
【０００３】
以下、図面を参照しながら、上記従来の引出し装置を備えた冷蔵庫について説明する。
【０００４】
図８は、従来の冷蔵庫の引出し式扉の斜視図である。図９は従来の冷蔵庫の引出し装置の要部断面図である。図１０は、従来の冷蔵庫の引出し装置の断面図である。従来技術の冷蔵庫の引出し装置１７は、冷蔵庫本体前面の開閉自在の扉１と、この扉裏面左右に一端を固定したフレーム２と、後端を連結した連結フレーム１６と、フレーム２の後端に取り付けられた可動ローラ３と、内箱側壁４に固定，取付けられた前記フレーム２と可動ローラ３を摺動支持する固定レール５と固定ローラ６と、前記フレーム２と、連結フレーム１６に載置された庫内ケース１５で構成される。また、フレーム側面９は平面であり、固定レール５の溝部１２も平面である。
【０００５】
そして、扉１の扉裏面左右にあらかじめ固定したフレーム２の後端に取り付けられた可動ローラ３を、冷蔵庫本体側にあらかじめ取り付けた固定レール５の溝部１２に挿入し、フレーム２の底面と固定ローラ６が接して摺動するように組み込まれるものである。
【０００６】
上記構成において、扉１を開閉すると、扉１に一端を固定したフレーム２と、フレーム２に連結された連結フレーム１６と、これらに載置された庫内ケース１５と可動ローラ３が、固定レール５と固定ローラ６上を摺動し、扉１と同期した前後方向の動きを可能としている。
【特許文献１】実公昭６０−２７９１３号公報
【発明の開示】
【発明が解決しようとする課題】
【０００７】
しかしながら、上記従来の冷蔵庫では、扉１の扉裏面左右にあらかじめ固定したフレーム２を冷蔵庫本体側にあらかじめ取り付けた固定レール５に組み込んで使用するため、フレーム２あるいは固定レール５の取付ばらつき、組立性を考慮して、組み込み状態でレールとローラ間には、ある程度のクリアランスを設定して設計している。このクリアランスにより扉１の開閉時に左右のガタツキが生じ、操作性が損なわれたり、操作時の品位が上がらないという課題を有していた。
【０００８】
本発明は上記従来の課題を解決するものであり、ガタツキの少ない高品位かつ荷重を加えても操作力の小さい使い勝手の良い引出しを有する冷蔵庫を提供することを目的とする。
【課題を解決するための手段】
【０００９】
上記従来の課題を解決するために、本発明の冷蔵庫は、固定レールと移動レールとをあらかじめ組み込んだ状態のレール部材を内箱壁面に固定し、その後、容器をレール部材に支持するとともに、レール部材取付面の内箱奥行方向の抜き勾配角度を、レール部材取付面に連続した上方または下方の内箱奥行方向の抜き勾配角度より小さく設定したものである。
【００１０】
これによって固定レールと移動レールとのクリアランスを小さくすることができ、ガタツキの少ない高品位な引出しを構成することができるとともに、左右のレ−ル部材間の寸法精度を高めることができる。
【発明の効果】
【００１１】
本発明の冷蔵庫は、ガタツキが小さく、寸法精度を高め、容器に荷重を加えた場合でも滑らかに引出しを開閉することができ、高品位で使い勝手の良い冷蔵庫を提供することができる。
【発明を実施するための最良の形態】
【００１２】
請求項１に記載の発明は、内箱と、外箱と、前記内箱と外箱間に充填した発泡断熱材とよりなる前面開口部を有する断熱箱体を備え、内部に備えた容器を前後に移動可能とするレール部材を左右に設け、前記レール部材は固定レールと移動レールとを有し、前記固定レールと移動レールはそれぞれ回転支持部材で支持され前記固定レールと移動レールを予め組み込んだ状態でレール部材を断熱箱体に固定するものにおいて、レール部材取付面の内箱奥行方向の抜き勾配角度を、レール部材取付面に連続した上方または下方の内箱奥行方向の抜き勾配角度より小さく設定したものであり、固定レールと移動レールとのクリアランスを小さくすることができ、ガタツキの少ない高品位な引出しを構成することができるとともに、左右のレ−ル部材間の寸法精度を高めることができ、高品位で使い勝手の良い冷蔵庫を提供することができる。
【００１３】
請求項２に記載の発明は、請求項１に記載の発明において、内箱の左右のレール部材取付面は略並行に設定したものであり、左右レール間の寸法が略同一となり、扉引出し時および収納時の操作性を更に高めることができる。
【００１４】
請求項３に記載の発明は、請求項１または２に記載の発明において、レール部材取付面の内箱発泡断熱材側に補強部材を備え、前記補強部材は内箱奥行方向の異なる抜き勾配角度を一体に形成したものであり、レール取付面の強度を高めるとともに、さらに左右レール間の寸法精度を高めることができる。
【００１５】
請求項４に記載の発明は、請求項１から３のいずれか一項に記載の発明において、内箱のレール部材取付面に連続した下方に凸部を設け、前記凸部にレール部材の下部を位置させるものであり、レール部材取付時の作業効率を高めることができる。また、レール取付面の強度をさらに高めることができる。
【００１６】
請求項５に記載の発明は、請求項４に記載の発明において、レール部材固定時に、凸部とレール部材の下部との間に空間を形成したものであり、レール部材取付時の取付ばらつきを吸収することができ、さらに作業効率を高めることができる。また、空間を形成することで、冷気の流れを促進でき、レール近傍の着霜、結露等の発生を防止できる。
【００１７】
以下、本発明の実施の形態について、図面を参照しながら説明する。なお、この実施の形態によってこの発明が限定されるものではない。
【００１８】
（実施の形態１）
図１は本発明の実施の形態１における冷蔵庫の側断面図、図２は図１のＡ−Ａ断面図、図３は同実施の形態の冷蔵庫の概略組立図、図４は同実施の形態の冷蔵庫のレール部材の分解組立図、図５は同実施の形態の冷蔵庫のレール部材の断面図、図６は同実施の形態の冷蔵庫のレール部材取付面の要部斜視図、図７は同実施の形態の冷蔵庫のレール部材取付面の要部断面図である。
【００１９】
図１から図７において、冷蔵庫１８の断熱箱体１９は内箱２０と外箱２１との間に発泡断熱材２２を充填したものであり、前面開口部１９ａを有し、仕切壁２３、２３ａ、２６により、上部より冷蔵室２４、切替室２５、野菜室２７、冷凍室２８を形成している。
【００２０】
また、仕切壁２６の上部に配置する野菜室２７は冷却温度が５℃程度、下部に配置する冷凍室２８は冷却温度が−２０℃程度というように仕切壁２６を介して上下に異なる温度帯に設定されている。
【００２１】
野菜室２７と冷凍室２８とはそれぞれ前面開口部２２ａを野菜室ドア２９と冷凍室ドア３０にて閉塞され、更に野菜室２７と野菜室ドア２９および冷凍室２８と冷凍室ドア３０とはそれぞれレール部材３１にて連結されることにより前後方向に引出し摺動可能となっている。
【００２２】
レール部材３１は固定レール３１ａと、移動レール３１ｂと、固定レール３１ａおよび移動レール３１ｂとの係合を支持する回転支持部材である複数のベアリング３１ｄとからなり、固定レール３１ａと移動レール３１ｂとベアリング３１ｄとを予め組み込んだ状態で固定レール３１ａを内箱２０の両側壁面に固定し、移動レール３１ｂをそれぞれの貯蔵室ドアに固定することでそれぞれの貯蔵室と貯蔵室ドアとを連結している。
【００２３】
なお、固定レール３１ａと移動レール３１ｂと、固定レール３１ａと移動レール３１ｂとの間にベアリング３１ｄを配設したレール部材３１は予め組み込んだものであり、それぞれのレール間のクリアランスを最小限に設定することができる。
【００２４】
更に内箱２０の両側壁面に固定された左右のレール部材３１は左右対称の形状を有し、左右共に備えることでより良い摺動性を発揮する。
【００２５】
各貯蔵室の容器３２はレール部材３１を内箱２０に固定後にレール部材３１の移動レール３１ｂに支持し、各貯蔵室ドアを前後方向に引出すのと同期して移動レール３１ｂと共に前後に移動し、更に各貯蔵室ドアを少なくとも全開した時に容器３２は上方向に着脱自在となっている。
【００２６】
また、レール部材３１の固定レール３１ａは補強部材３３によってそれぞれ内箱２０を介して取付孔３４で固定され、固定レール３１ａの取り付け強度を高めている。
【００２７】
また、各貯蔵室に備えてあるレール部材３１の固定レール３１ａを１枚の補強部材３３で一体に固定することで、上下に配置した複数のレール部材３１を同時に補強できる。
【００２８】
補強部材３３は、内箱２０の発泡断熱材２２を充填した側に配置されるので補強部材３３は各貯蔵室内に露出しない構造となっている。
【００２９】
また、補強部材３３の両端はそれぞれ野菜室２７と冷凍室２８との上下方向の中心部付近まで達し、各貯蔵室内のレール部材３１の固定レール３１ａは補強部材３３の固定部３３ｃに固定され、少なくとも補強部材３３の固定部３３ｃは内箱２０の発泡断熱材２２を充填した側の面に接している。更に左右の補強部材３３には孔３３ｄを設けている。
【００３０】
なお、補強部材３３が大きくなる場合には前後を複数に分割し、固定部３３ｃを備え、必要に応じて孔３３ｄを設けると補強部材３３を一体とした場合と同様の効果が得られる。
【００３１】
また、ベアリング３１ｄは回転支持部材であればよく、たとえばローラ等を用いてもよい。
【００３２】
そして、図６に示すように、レール部材３１の固定レール３１ａが取付られる内箱２０の取付面３５の内箱奥行方向の抜き勾配角度は、レール部材取付面３５に連続した上方または下方の内箱奥行方向の抜き勾配角度より小さく設定している。さらに、内箱２０の左右のレール部材取付面３５は略並行に設定することが望ましい。
【００３３】
そしてまた、レール部材取付面３５の内箱発泡断熱材側に備えた補強部材３３は、内箱奥行方向の異なる抜き勾配角度を一体に少なくともレール部材取付面３５を覆うように上下に延出して形成し、位置決め部材、例えば図示しないピン等で内箱２０に固定しその後、発泡断熱材が充填される。
【００３４】
また、図７に示すように、内箱２０のレール部材取付面３５に連続した下方に凸部３６を設け、前記凸部３６にレール部材３１の下部を位置させ、ビス３７で内箱２０を介して補強部材３３に固定される。そして、レール部材３１固定時に、凸部３６とレール部材３１の下部の一部は凸部３６に接して位置し、一部は凸部３６との間に空間３８を形成している。なお、レール部材３１を内箱２０に組み立て取付時、レール部材３１の下部が凸部３６に接した状態でビス３７と締結される補強部材３３の取付孔はビス３７より若干上方に位置することが望ましい。
【００３５】
以上のように構成された冷蔵庫について、以下その動作、作用を説明する。
【００３６】
まず、各貯蔵室ドアを手前に引出すと各貯蔵室の両側部に備えられたレール部材３１の移動レール３１ｂと中間走行レール３１ｃとが回転支持部材３１ｄが回転することにより滑らかに手前側に摺動する。
【００３７】
それに伴い、レール部材３１に支持された容器３２も手前に引出され、容器３２内に収納された被冷却物の取出し及び新たな被冷却物の収納が可能となる。
【００３８】
以上のように本実施の形態においては固定レール３１ａと移動レール３１ｂとをあらかじめ組み込んだ状態のレール部材３１を内箱２０の両側壁面に固定することにより固定レール３１ａと移動レール３１ｂとのクリアランスを小さくすることができ、ガタツキの少ない高品位な引出しを構成することができる。また、固定レール３１ａと移動レール３１ｂとの間を回転支持部材であるベアリング３１ｄで支持することにより容器３２に荷重を加えた場合でも滑らかに移動レール３１ｂが移動できるので引出しの操作力を低減することができ、使い勝手の向上を図ることができる。
【００３９】
また、補強部材３３によりレール部材３１の固定レール３１ａの取付強度を高めることで引出しの操作性を安定して行うことができるとともに、長期にわたって操作性を維持することができる。
【００４０】
また、各貯蔵室に備えてあるレール部材３１の固定レール３１ａを１枚の補強部材３３で一体に固定することで、上下に配置した複数のレール部材３１を同時に補強できるので、複数の貯蔵室にレール部材を備える場合のレール部材の操作性の確保、長期信頼性の確保を図ることができるとともに、組立作業性が簡素化され低コスト化が図れる。
【００４１】
なお、レール部材３１の前後、左右、上下寸法あるいは平行度が規定どおりに保持できるように、左右の補強部材３３の位置を規制する位置規制手段を備えてもよい。
【００４２】
また、補強部材３３を各貯蔵室内に露出させないようにしたので補強部材３３を各貯蔵室内部に配置した場合に比べ収納内容積の低減を抑制することができる。
【００４３】
また、上下の固定レール３１ａを連結する補強部材３３を断熱箱体１９の発泡断熱材２２内に埋設したので、冷蔵庫１８の使用時に補強部材３３の結露，着霜の防止を図ることができ、更に補強部材３３が空気と接することが無いので補強部材３３の耐食性を向上させることができる。
【００４４】
また、通常、断熱箱体に発泡断熱材を充填発泡する際、発泡圧での内箱変形を防止するため内部に抑えのための冶具（発泡時具）を配置する。そして発泡後、発泡時具を取り出し容易にするために、発泡時具および内箱に抜き勾配を形成しているのが一般的である。
【００４５】
そのような中で、本実施の形態では、レール部材３１の固定レール３１ａが取付られる内箱２０の取付面３５の内箱奥行方向の抜き勾配角度は、レール部材取付面３５に連続した上方または下方の内箱奥行方向の抜き勾配角度より小さく設定しているので、左右のレール部材間の寸法精度を高めることができ、レールを前後に移動時に、前後での寸法差を最小限におさえることで、高品位で使い勝手の良い引き出し扉を備えた冷蔵庫を提供することができる。
【００４６】
また、内箱２０の左右のレール部材取付面３５は略並行に設定することで、左右レール間の寸法が略同一となり、さらに扉引出し時および収納時の操作性を高めることができる。
【００４７】
また、レール部材取付面３５の内箱発泡断熱材側に備えた補強部材３３は、内箱奥行方向の異なる抜き勾配角度を一体に少なくともレール部材取付面３５を覆うように上下に延出して形成しているので、レール取付面の強度を高めるとともに、さらに左右レール間の寸法精度を補強部材３３により高めることができる。また、補強部材３３は、内箱奥行方向の異なる抜き勾配角度を一体形成したものを用いることで、発泡時の発泡圧による内箱の異なる抜き勾配部分の変形を防止でき、レール部材取付面３５の抜き勾配を最小限に設定しても発泡時具の動作をスムーズに行うことができる。
【００４８】
また、内箱２０のレール部材取付面３５に連続した下方に凸部３６を設け、前記凸部３６にレール部材３１の下部を位置させ、ビス３７で内箱２０を介して補強部材３３に固定するものであり、レール部材３１組込時、凸部３６を利用してスムーズが組立が可能となる。
【００４９】
また、レール部材３１固定時に、凸部３６とレール部材３１の下部の一部は凸部３６に接して位置し、一部は凸部３６との間に空間３８を形成しているので、空間３８が冷気の流れを促進でき、レール近傍の着霜、結露等の発生を防止できる。
【００５０】
なお、このとき、レール部材３１を内箱２０に組み立て取付時、レール部材３１の下部が凸部３６に接した状態でビス３７と締結される補強部材３３の取付孔はビス３７より若干上方に位置させることで、レール部材取付時の取付ばらつき、内箱の成形ばらつき等を吸収することができ、さらに作業効率を高めることができる。
【００５１】
なお、補強部材３３に孔３３ｄを設けることで、複数の貯蔵室の温度帯が異なる場合に補強部材３３からの熱伝達を抑制し、温度帯の高い貯蔵室側の結露の防止や熱リークによる消費電力の増加を抑制できる。また、補強部材３３に設ける孔３３ｄは強度を維持できる程度に複数設けることで、熱移動量を効果的に低減できる。さらに、発泡断熱材２２が孔３３ｄに充填するため、冷蔵庫１８の強度が向上する。
【００５２】
また、本実施の形態ではレール部材３１と容器３２とを野菜２７と冷凍室２８とで共通としたが、実使用の収納形態などによりそれぞれ貯蔵室別に違う材料で形成したものを使用するとさらにコスト低減、信頼性向上を図ることができる。
【００５３】
また、本実施の形態では、野菜室２７と冷凍室２８にレール部材３１を用いたもので説明したが、引出し容器を備えた貯蔵室に適宜適用できる。たとえば、野菜室２７の上部に位置する切替室２５や、切替室２５の横に併設した製氷室（図示せず）等に用いてもよい。
【００５４】
また、本実施の形態では、補強部材３３は、野菜室２７と冷凍室２８のそれぞれのレール部材３１を一体に固定したもので説明したが、野菜室２７と冷凍室２８のそれぞれに独立の補強部材を用いてもよい。この場合、野菜室２７と冷凍室２８が上下に併設していない冷蔵庫において、それぞれガタツキの少ない高品位かつ荷重を加えても操作力の小さい使い勝手の良い引出しを提供することができる。また、複数のレール部材を一つの連結部材に固定した場合に比べ複数の貯蔵室の温度帯が異なる場合に更に連結部材からの熱伝達を抑制し、温度帯の高い貯蔵室側の結露の防止や熱リークによる消費電力の増加を抑制できる。
【産業上の利用可能性】
【００５５】
以上のように、本発明にかかる冷蔵庫は、ガタツキが小さく、容器に荷重を加えた場合でも滑らかに引出しを開閉することができ、高品位で使い勝手の良い引出し収納ができるので、冷凍装置を備えた冷却貯蔵庫の引出し装置等の用途にも適用できる。
【図面の簡単な説明】
【００５６】
【図１】本発明の実施の形態１における冷蔵庫の側断面図
【図２】図１のＡ−Ａ断面図
【図３】同実施の形態の冷蔵庫の概略組立図
【図４】同実施の形態の冷蔵庫のレール部材の分解組立図
【図５】同実施の形態の冷蔵庫のレール部材の断面図
【図６】同実施の形態の冷蔵庫のレール部材取付面の要部斜視図
【図７】同実施の形態の冷蔵庫のレール部材取付面の要部断面図
【図８】従来の冷蔵庫の引出し式扉の斜視図
【図９】従来の冷蔵庫の引出し装置の要部断面図
【図１０】従来の冷蔵庫の引出し装置の断面図
【符号の説明】
【００５７】
１８  冷蔵庫
１９  断熱箱体
１９ａ  前面開口部
２０  内箱
２１  外箱
２２  発泡断熱材
２６  仕切壁
２７  野菜室
２８  冷凍室
３１  レール部材
３１ａ  固定レール
３１ｂ  移動レール
３１ｄ  ベアリング
３２  容器
３３  補強部材
３５  取付面
３６  凸部
３８  空間
【図１】
2006038376.tif 000003
【図２】
2006038376.tif 000004
【図３】
2006038376.tif 000005
【図４】
2006038376.tif 000006
【図５】
2006038376.tif 000007
【図６】
2006038376.tif 000008
【図７】
2006038376.tif 000009
【図８】
2006038376.tif 000010
【図９】
2006038376.tif 000011
【図１０】
2006038376.tif 000012